(57)【特許請求の範囲】
【請求項１】
補助テーブルが縦方向に収納された引出部を備えたキッチンのフロアユニットであって、
前記引出部は、回動自在に構成された前記補助テーブルを支持する支持体を備えており、前記引出部を引き出した状態で、回動させた前記補助テーブルが水平保持される構造とされており、
前記支持体は、上記補助テーブルを出し入れ自在に縦方向に収納する差し入れ溝と、前記差し入れ溝の長手方向両端に形成された一組の軸受部とを備え、
前記補助テーブルは、取っ手と、下方端から突出した一組の軸部と、前記支持体に前記補助テーブルを係止させる係止手段とを備えており、前記差し入れ溝から上方向に引き出して、前記軸部を前記軸受部に当接させ、前記軸部を支点に回動し、水平保持される構造とされており、
前記補助テーブルが前記差し入れ溝に収納されているときは、前記係止手段によって、前記補助テーブルが前記支持体に吊り下げ支持される構造にしていることを特徴とするフロアユニット。
【請求項２】
補助テーブルが縦方向に収納された引出部を備えたキッチンのフロアユニットであって、
前記引出部は、回動自在に構成された前記補助テーブルを支持する支持体を備えており、前記引出部を引き出した状態で、回動させた前記補助テーブルが水平保持される構造とされており、
前記支持体は、上記補助テーブルを出し入れ自在に縦方向に収納する差し入れ溝と、前記差し入れ溝の長手方向両端に形成された一組の軸受部とを備え、
前記補助テーブルは、取っ手と、下方端から突出した一組の軸部と、前記支持体に前記補助テーブルを係止させる係止手段とを備えており、前記差し入れ溝から上方向に引き出して、前記軸部を前記軸受部に当接させ、前記軸部を支点に回動し、水平保持される構造とされており、
前記補助テーブルを前記差し入れ溝から引き出したときは、前記引出部に隣接した引き出し式収納部の上端縁部に、水平保持される補助テーブルの自由端縁部が支持される構造にしていることを特徴とするフロアユニット。
【請求項３】
請求項１において、
前記補助テーブルを前記差し入れ溝から引き出したときは、前記引出部に隣接した引き出し式収納部の上端縁部に、水平保持される補助テーブルの自由端縁部が支持される構造にしていることを特徴とするフロアユニット。
【発明の詳細な説明】
【技術分野】
【０００１】
本発明は、キッチンのフロアユニットに関し、詳しくは、補助テーブルを備えたキッチンのフロアユニットに関するものである。
【背景技術】
【０００２】
従来より、キッチンのフロアユニットの引出部を引き出し、その上にトレーを載せて、該トレーをテーブル代わりに使用するもの或いは、フロアユニットのカウンター部の下部から水平方向に出し入れ自在な板体を構成し、引き出した板体をテーブルとして使用するものが知られている。
このようなテーブルは、配膳台として利用されたり、調理を行う際に材料或いは料理本などを置くテーブルとして必要なときにのみ利用され、通常は邪魔にならないように専用の収納スペースなどに収納されているものである。
【０００３】
例えば、下記特許文献１には、フロアユニット（キッチンカウンター）のカウンター部の下部に構成される引出部自体がテーブルで構成されたものが記載されており、引出部を引き出した際に、テーブルとなる上面がカウンター部（カウンター本体）の上面と略面一となるよう上昇する昇降支持手段が設けられたものが開示されている。
これによれば、カウンター部の作業面域が狭い場合でも、上記昇降支持手段によって、テーブルとなる引出部を引出すと、テーブルの上面がカウンター部の上面と略面一となるので、該テーブルをカウンター部の一部として用いることができるとされている。
【特許文献１】特開平１１−１２７９９１号公報（図３参照）
【発明の開示】
【発明が解決しようとする課題】
【０００４】
しかしながら前記特許文献１に記載のもの、或いは上述した従来の補助テーブルは、あくまで補助的に利用されるテーブルを想定しているため、テーブル面が狭く、引き出したテーブルを支持する支持部の構造は、重量物をテーブルに置いた場合に耐えられるものとはなっていなかった。このとき、テーブル面を大きく設計したり、テーブルの支持構造に関しては、別途部材を設けるなどして強化することが考えられるが、テーブル面を大きくとったり、テーブルの支持構造を別途部材を設けるなどして強化した場合は、テーブルの構造及び収容空間が大型化し、これによって小物や調味料などを収容する収容空間が侵食され、収納量が減ってしまうという問題があった。
更に、テーブルを引き出して使用している間或いは、引き出した引出部にトレーを載せてテーブルとして使用している間において、そのテーブルの下部に引出部を備えている場合は、引出部から収容物が取り出しにくい状況となってしまうため、改善が求められていた。
【０００５】
本発明は、前記問題を解決するために提案されたもので、その目的は、スペースを有効利用しながら、重量物が置ける補助テーブルを備えたフロアユニットを提供することにある。
【課題を解決するための手段】
【０００６】
前記目的を達成するために、本発明に係るフロアユニットは、補助テーブルが縦方向に収納された引出部を備えたキッチンのフロアユニットであって、前記引出部は、回動自在に構成された前記補助テーブルを支持する支持体を備えており、前記引出部を引出した状態で、回動させた前記補助テーブルが水平保持される構造とされており、前記支持体は、上記補助テーブルを出し入れ自在に縦方向に収納する差し入れ溝と、前記差し入れ溝の長手方向両端に形成された一組の軸受部とを備え、前記補助テーブルは、取っ手と、下方端から突出した一組の軸部と、前記支持体に前記補助テーブルを係止させる係止手段とを備えており、前記差し入れ溝から上方向に引き出して、前記軸部を前記軸受部に当接させ、前記軸部を支点に回動し、水平保持される構造とされており、前記補助テーブルが前記差し入れ溝に収納されているときは、前記係止手段によって、前記補助テーブルが前記支持体に吊り下げ支持される構造にしていることを特徴とする。
【０００７】
本発明に係るフロアユニットは、補助テーブルが縦方向に収納された引出部を備えたキッチンのフロアユニットであって、前記引出部は、回動自在に構成された前記補助テーブルを支持する支持体を備えており、前記引出部を引き出した状態で、回動させた前記補助テーブルが水平保持される構造とされており、前記支持体は、上記補助テーブルを出し入れ自在に縦方向に収納する差し入れ溝と、前記差し入れ溝の長手方向両端に形成された一組の軸受部とを備え、前記補助テーブルは、取っ手と、下方端から突出した一組の軸部と、前記支持体に前記補助テーブルを係止させる係止手段とを備えており、前記差し入れ溝から上方向に引き出して、前記軸部を前記軸受部に当接させ、前記軸部を支点に回動し、水平保持される構造とされており、前記補助テーブルを前記差し入れ溝から引き出したときは、前記引出部に隣接した引き出し式収納部の上端縁部に、水平保持される補助テーブルの自由端縁部が支持される構造にすることができる。
【発明の効果】
【０００８】
本発明の請求項１及び２に係るフロアユニットは、補助テーブルが縦方向に収納された引出部を備えているので、縦方向に長いスペースを有効に利用することができる。よって、フロアユニット自体を大型化することなく、補助テーブルを備えたものとすることができる。
また、引出部は回動自在に構成された補助テーブルを支持する支持体を備えており、引出部を引出した状態で、回動させた補助テーブルが水平保持される構造にしているので、簡易な構成でありながら、容易に引出部を引出した後、収納された補助テーブルを回動させてテーブルとして使用できる状態にすることができる。
【０００９】
更に、支持体に備えた差し入れ溝から補助テーブルを上方向に引き出して、軸部を軸受部に当接させ、軸部を支点に回動し、水平保持される構造としているので、容易に引出部から補助テーブルを引き出してテーブルとして使用できる状態にすることができる。
更に、補助テーブルは軸受部によって軸部で軸支されているため、水平保持されている補助テーブルの自由端を容易に上下方向に回動できる。よって、引き出され、水平保持されている補助テーブルの下部に別の引出部が設けられ、該引出部から収納物を取り出したい場合には、水平保持された補助テーブルを上方向に引き上げれば、引出部から収納物を取り出すことができる。
【００１０】
また、本発明の請求項１に係るフロアユニットは、補助テーブルが差し入れ溝に収納されているときは、係止手段によって、補助テーブルが支持体に吊り下げ支持されているので、補助テーブルの取っ手を持って、差し入れ溝から上方向に補助テーブルを引き出し易いものとすることができる。また補助テーブルが支持体に吊り下げ支持されているので、引出部を引き出す際に補助テーブルが邪魔することがなく、スムーズに引出部を引き出すことができる。
【００１１】
本発明の請求項２及び３に係るフロアユニットは、補助テーブルを差し入れ溝から引き出したときには、引出部に隣接した引き出し式収納部の上端縁部に、水平保持される補助テーブルの自由端縁部が支持される構造にしているので、補助テーブルを水平保持した状態で強固に支えることができる。よって補助テーブルを支持するためだけに別途部材を構成することなく、引出部に隣接した収納部の上端縁部を用いることができる。また補助テーブルを下面から収納部の上端縁部によって、支持することができるので、重量物を置いてもぐらつくことなく、補助テーブルを使用することができる。
【発明を実施するための最良の形態】
【００１２】
以下に、本発明の実施の形態について、図面を参照しながら説明する。
図１乃至図３は、本発明に係るフロアユニットの第１の実施形態を示す概略斜視図であり、補助テーブルを使用状態とする手順を夫々示している。図４（ａ）は補助テーブルの平面図、図４（ｂ）は引出部の一部断面図、図５は同フロアユニットの変形例を示す概略斜視図、図６は本発明に係るフロアユニットの第２の実施形態を示す概略斜視図である。
【００１３】
まず図１乃至図４を参照しながら、本発明の第１の実施形態について説明する。
図例のフロアユニット１は、キッチンの床面に設置され、シンクや加熱機器（いずれも不図示）などを備えたカウンター部１１と、後記する引出部２及び収納部５、ビルトイン式グリル、食器洗い乾燥機（いずれも不図示）などを備えたキャビネット部１２とを備えている。カウンター部１１のカウンター本体１１ａは、人造大理石或いはステンレスなどからなり、調理台などとして使用される。
【００１４】
キャビネット部１２は、前面開口とした開口部２１を備えた縦長状の引出部２を備えており、該引出部２には方形板状の補助テーブル３が収納されている。
引出部２の開口部２１は化粧板としてその前面が加工処理されている前板２ａによって塞がれており、前板２ａの上端部には持ち手となる把持部２ｂが設けられている。
引出部２の下方側部には、レール溝２ｃが設けられており、レール溝２ｃと該レール溝２ｃと嵌合するガイド部材（不図示）とによって、把持部２ｂを持って押したり引いたりすることで、前後方向にスライド自在となるよう構成されている。引出部２はその略全長が引き出せるように構成されており、引出部２の後端には引出部２が引き出された際に、引出部２が抜け出ないようにストッパー（不図示）が設けられている。
図中、引出部２の側部に設けられた２ｄは、保護板であり、引出部２を前後方向にスライドさせる際に、支持体４に吊り下げ支持された補助テーブル３のテーブル本体３ｄが揺れ動いて、前方開口として引出部収容空間２２（図１参照）の側面に当たらないよう構成されている。
引出部２は、補助テーブルが縦方向に収納されており、回動自在に構成された補助テーブル３を支持する支持体４を備えており、引出部２を引出した状態で、回動させた補助テーブル３が水平保持される構造にしている。
【００１５】
支持体４には、補助テーブル３を出し入れ自在に縦方向に収納する（図１参照）差し入れ溝４ａが形成されており、差し入れ溝４ａの長手方向両端には一組の軸受部４ｂが設けられている。差し入れ溝４ａの開口部は補助テーブル３が収納できるよう補助テーブル３の形状、大きさに合わせて形成されている。
【００１６】
補助テーブル３は、図１乃至図３、そして図４（ａ）にも示すように、取っ手３ａと、下方端から突出した一組の軸部３ｂと、支持体４に補助テーブル３を係止させる係止手段とを備えている。軸部３ｂは、補助テーブル３を差し入れ溝４ａから上方向に引き出して、水平保持する際の支点となる他、差し入れ溝４ａからテーブル本体３ｄを略全長引き出す際のテーブル本体３ｄの抜け止めとしても機能する。
係止手段は図４（ｂ）に示すように、補助テーブル３の側面の両側から突出した一組の突出部３ｃからなり、支持体４に突出部３ｃに対応して形成された一組の切欠凹所４ｃに、突出部３ｃが係止される構造になっている。図中３ｄはテーブル本体であり、薄型の板体で構成される。
尚、係止手段の構造は図例のものに限定されるものではなく、要は補助テーブル３を差し入れ溝４ａから上方向に引き出しやすいように支持体４に係止されるものであればよい。
また物が載置される補助テーブル３のテーブル面３ｄａ（図３参照）の構成は特に限定されるものではないが、見栄えよくするため、また汚れ付着を防止するために化粧塗装を施したもの、人造大理石など薄板体が貼着されたものとすることができる。
【００１７】
キャビネット部１２には、引出部２に隣接して同じく引出式の収納部が複数設けられている。図例のものは引出部２に隣接して３段の引出式収納部５を備えた例が示されている。上中下の３段の収納部のうち、中段に設けられた収納部５は、上方が開口となった箱型形状からなり、前面は引出部２と同じ前板５１で構成されており、前板５１の上端には前後方向にスライドさせるための持ち手となる把持部５ａが設けられている。水平状態としたときの補助テーブル３の支持部材として機能するように、支持体４の上端部４ｃと、前板５１の上端縁部５ｃ（ライン取っ手）及び側板５１の上端縁部５ｂの高さが同じ高さとなるように構成されている。
尚、前板５１と側板５２の高さは図例のように同じ高さに限定されず、補助テーブル３の自由端縁部３ｅを支持できるよう少なくとも前板５１の上端縁部５ｃが支持体４の上端部４ｃと同じ高さであればよい。
【００１８】
次に図１乃至図４（ａ）を参照しながら、補助テーブル３の使用状態とする手順について説明する。
まずキャビネット部１２に収容状態となっている引出部２の把持部２ｂを持ち、前方向に引出部２をスライドさせると、レール溝２ｃとガイド部材との嵌合によって、引出部２が図１・白抜矢印方向に引き出される（図１参照）。このとき、補助テーブル３の支持部材として機能する収納部５も略全長まで引き出しておく（図２参照）。引出部２を引き出し方向に略全長を引き出したら、補助テーブル３の取っ手３ａを持ち、補助テーブル３を上方向（図２・白抜矢印方向）に引き上げる。補助テーブル３の軸部３ｂが支持体４の軸受部４ｂに当接するまで、すなわち、テーブル本体３ｄの略全長が引き出されるまで、上方向にテーブル本体３ｄを引き出した後（図２参照）、軸部３ｂを支点に図３・白抜矢印方向にテーブル本体３ｄを回動し、水平状態とする（図３参照）。このようにして、差し入れ溝４ａ内に、縦方向に収納していた補助テーブル３を横にして、テーブルとして使用可能としている。
【００１９】
尚、補助テーブル３を使用状態とする手順は上述の例に限定されるものではなく、補助テーブル３を差し入れ溝４ａから引出す作業も、収納部５を引出す作業も片手でできるため、片手で補助テーブル３を差し入れ溝４ａから引き出した後、空いているもう片方の手で収納部５を引き出して、補助テーブル３を水平方向に回動する手順とすることもできる。
【００２０】
以上のように水平状態となった補助テーブル３の自由端縁部３ｅ（軸部３ｂによって支持されていない側の端部・図４（ａ）参照）は、収納部５の上端縁部５ｃ、５ｂによって、支持されている。特に図例のものは、前板５１の上端縁部５ｃと側板５２の上端縁部５ｃとを同じ高さに構成しているので、図４（ａ）に示すようにカウンター本体１１ａ側に位置する自由端縁部３ｅ以外の３辺を下方から支持することができる。
よって補助テーブル３の軸支されている側は支持体４の上端部４ｃに支持され、自由端縁部３ｅ側は、収納部５の上端縁部５ｃ、５ｂによって支持されているので、例えば水が入った寸胴鍋など、重量物をテーブル面３ｄａに載置しても、ぐらつくことなく、補助テーブル３を強固に支持できる構造となっている。
また、補助テーブル３は軸部３ｂによって軸支されているため、引出部２の差し入れ溝４ａから補助テーブル３を引き出し、テーブルとして使用できる状態とした後であっても、収納部５から収納物を取り出したい場合には、水平保持された補助テーブル３を上方向に引き上げれば、収納部５の開口部５３が開口状態となるため、容易に収納部５の収納物を取り出すことができる（図２参照）。
更に、補助テーブル３を支持するためだけに別途部材を構成することなく、収納部５の上端縁部５ｂ、５ｃを支持部材として用いることができるので、コストアップの懸念や収容空間が減ってしまうおそれがない。
【００２１】
次に図５に基づいて、上述の第１の実施形態のフロアユニットの変形例を説明する。
上述と共通する事項の説明は割愛し、共通する部分には共通の符号を付する。
図５は同フロアユニットの変形例を示すが概略斜視図である。
上述の例では、補助テーブル３の支持部材として機能する収納部５を略全長まで引き出して（図２参照）、水平状態にした補助テーブル３の自由端縁部３ｅを下方から支持する例について説明したが、図５に示す変形例は、前板５１の上端縁部５ｃ（ライン取っ手）に補助テーブル３のカウンター本体１１ａ側に位置する自由端縁部３ｅが下方から支持される程度に、収納部５の前板５１を前方向に引き出した例である。
すなわち、水平状態にした補助テーブル３は、支持体４の上端部４ｃと前板５１の上端縁部５ｃとで平面視するとＬ字状に支持される。
【００２２】
次に、補助テーブル３の使用状態とする手順について説明する。
まずキャビネット部１２に収容状態となっている引出部２の把持部２ｂを持ち、前方向に引出部２をスライドさせると、レール溝２ｃとガイド部材との嵌合によって、引出部２が前方向に引き出される（図１参照）。このとき、補助テーブル３の支持部材として機能する収納部５における前板５１の上端縁部５ｃに、補助テーブル３の自由端縁部３ｅ（（カウンター本体１１ａ側）が載せられるように、引き出しておく（図５参照）。引出部２を前方向に略全長を引き出したら、補助テーブル３の取っ手３ａを持ち、補助テーブル３を上方向に引き上げる。補助テーブル３の軸部３ｂが支持体４の軸受部４ｂに当接するまで、すなわち、テーブル本体３ｄの略全長が引き出されるまで、上方向にテーブル本体３ｄを引き出した後（図２参照）、軸部３ｂを支点に図５・白抜矢印方向にテーブル本体３ｄを回動し、水平状態とする（図５参照）。このようにして、差し入れ溝４ａ内に、縦方向に収納していた補助テーブル３を横にして、テーブルとして使用可能としている。
【００２３】
これによっても、板状の長方形で構成される補助テーブル３の長手方向が前板５１の上端縁部５ｃによってしっかりと固定保持されるので、重量物にも耐えられる構造とすることができる。またこれによれば、引き出した収納部５が補助テーブル３に載置された物の重みで傾くといった心配がないものとすることができる。
【００２４】
次に図６に基づいて、本発明の第２の実施形態について説明する。
第２の実施形態として示すフロアユニット１は、上述の第１の実施形態とは、補助テーブル３を支持する構造が異なる。
第２の実施形態では、補助テーブル３の自由端縁部３ｅが、引出部２に隣接して設けられた扉式収納部６の扉上端縁部６ａで支持する構造としている。収納部６の扉６１の上端には前後方向にスライドさせるための持ち手となる把持部（不図示）が設けられており、扉６１の上端縁部６ａが水平状態としたときの補助テーブル３の支持部材として機能するように、支持体４の上端部４ｃと、扉６１の上端縁部６ａの高さが同じ高さとなるように構成されている。扉６１はヒンジなど公知の固定部材（不図示）によって固定され、且つ開閉自在としている。図例のものは９０度以上開状態にならないよう構成されている。
その他の構成としては、引出部２に隣接して設けられる収納部が引出式か扉式かが第１の実施形態と異なり、引出部２、補助テーブル３、支持体４などの構成は同様であるので、共通する部分には共通の符号を付し、その説明も割愛する。
【００２５】
図６を参照しながら、補助テーブル３の使用状態とする手順について説明する。
まずキャビネット部１２に収容状態となっている引出部２の把持部２ｂを持ち、前方向に引出部２をスライドさせると、レール溝２ｃとガイド部材との嵌合によって、引出部２が前方向に引出される。このとき、補助テーブル３の支持部材として機能する収納部６の扉６１を９０度、図６・矢印方向に開いておく。引出部２を引き出し方向に略全長を引き出したら、補助テーブル３の取っ手３ａを持ち、補助テーブル３を上方向に引き上げる。補助テーブル３の軸部３ｂが支持体４の軸受部４ｂに当接するまで、すなわち、テーブル本体３ｄの略全長が引き出されるまで、上方向にテーブル本体３ｄを引き出した後、軸部３ｂを支点に図６・白抜矢印方向にテーブル本体３ｄを回動し、水平状態とする（図６参照）。このようにして、差し入れ溝４ａ内に、縦方向に収納していた補助テーブル３を横にして、テーブルとして使用可能としている。
【００２６】
以上のように水平状態となった補助テーブル３の自由端縁部３ｅ（軸部３ｂによって支持されていない側の端部）は、開かれた状態の扉６１の上端縁部６ａによって、支持されている。図６に示すように、扉６１の上端縁部６ａと支持体４の上端部４ｃとを同じ高さに構成しているので、テーブル本体３ｄの長手方向両端を強固に支持することができる。
よって補助テーブル３の軸支されている側は支持体４の上端部４ｃに支持され、自由端縁部３ｅ側は、扉６１の上端縁部６ａによって支持されているので、例えば水が入った寸胴鍋など、重量物をテーブル面３ｄａに載置しても、ぐらつくことなく、補助テーブル３を強固に支持できる構造とすることができ、扉６１は固定部材で固定されているので、補助テーブル３に載置された物の重みで扉６１が傾くといった心配がないものとすることができる。
【００２７】
また、扉６１を開いた状態で補助テーブル３を支持しているので、引出部２の差し入れ溝４ａから補助テーブル３を引き出し、テーブルとして使用できる状態とした後であっても、収納部６から収納物を取り出したい場合には、水平保持された補助テーブル３を上方向に引き上げれば、容易に収納部５の収納物を取り出すことができる。
更に、このように扉式収納部６が隣接されている構成のものであっても、補助テーブル３を支持するためだけに別途部材を構成することなく、扉６１の上端縁部６ａを支持部材として用いることができるので、コストアップの懸念や収容空間が減ってしまうおそれがない。
【００２８】
尚、本発明のフロアユニット１の構成は図例のものに限定されるものではなく、例えば支持体４の構成は、差し入れ溝４ａを形成せず、単に補助テーブル３を回動自在に軸支し、ターンテーブル式に構成したものとしてもよい。また引出部２が紙面右側に構成されるものにも適用することができる。更に引出部２の保護板２ｄがないものとしてもよく、補助テーブル３の係止手段３ｃの構成も上述の例に限定されるものではない。
【図面の簡単な説明】
【００２９】
【図１】本発明に係るフロアユニットの第１の実施形態を示す概略斜視図であり、補助テーブルを使用状態とする手順を説明する図である。
【図２】図１と同様図である。
【図３】図１と同様図である。
【図４】（ａ）は補助テーブルの平面図、（ｂ）は引出部の一部断面図である。
【図５】同フロアユニットの変形例を示すが概略斜視図である。
【図６】本発明に係るフロアユニットの第２の実施形態を示す概略斜視図である。
【符号の説明】
【００３０】
１        フロアユニット
２        引出部
３        補助テーブル
３ａ      取っ手
３ｂ      軸部
３ｃ      突出部（係止手段）
４        支持体
４ａ      差し入れ溝
４ｂ      軸受部
４ｃ      切欠凹部
５        収納部
【図１】
0005193571.tif 000002
【図２】
0005193571.tif 000003
【図３】
0005193571.tif 000004
【図４】
0005193571.tif 000005
【図５】
0005193571.tif 000006
【図６】
0005193571.tif 000007